(57)【要約】【課題】樹脂製であって略半球状の底部を有する消火剤貯蔵容器の傾倒を防止し得る消火器を提供する。【解決手段】  本発明の消火器は、消火剤貯蔵容器と、消火剤貯蔵容器の支持台５０とを備える。消火剤貯蔵容器は、樹脂製であって略半球状の底部を有する。また、底部の外形に沿う曲面５１ａを有する受部５１と、受部５１の下方に位置するとともに、受部５１を支持する平面部５２とを有する。【選択図】図３
2010200815.tif 000002
【特許請求の範囲】
【請求項１】
樹脂製の消火剤貯蔵容器の略半球状の底部の外形に沿う曲面を有する受部と、
前記受部の下方に位置するとともに、前記受部を支持する平面部とを備える
消火器用消火剤貯蔵容器の支持台。
【請求項２】
前記平面部の外周が、前記受部の前記平面部と同一平面視における正射影の外周と略一致する、又は前記正射影の外周より外側となる
請求項１に記載の消火器用消火剤貯蔵容器の支持台。
【請求項３】
前記受部と前記平面部との間に位置するくびれ部を備える
請求項１に記載の消火器用消火剤貯蔵容器の支持台。
【請求項４】
外形が柱状である
請求項１に記載の消火器用消火剤貯蔵容器の支持台。
【請求項５】
樹脂製であって略半球状の底部を有する消火剤貯蔵容器と、
前記底部の外形に沿う曲面を有する受部と、前記受部の下方に位置するとともに、前記受部を支持する平面部とを有する消火剤貯蔵容器の支持台とを備える
消火器。
【発明の詳細な説明】
【技術分野】
【０００１】
本発明は、消火剤貯蔵容器の支持台及びその支持台を備える消火器に関する。
【背景技術】
【０００２】
従来の消火器に使用される消火剤貯蔵容器は、鉄、ステンレス、アルミニウムなどの金属から製造されている。その中でも鉄製の消火剤貯蔵容器は、頑丈で破損しにくく、製造コストが安価であるため、市場に出される消火器数の約９割に対して鉄が使用されているのが現状である。
【０００３】
他方、樹脂製の消火剤貯蔵容器を備えた消火器の例が開示されている。１つの文献には、樹脂製の消火剤貯蔵容器の弱点であった低い耐圧性能であっても保持されるように、充填圧力が可能なかぎり低下された消火器が開示されている（特許文献１）。また、他の１つの文献には、清涼飲料水やアルコール飲料などに用いられる薄肉のポリエチレンテレフタレート（ＰＥＴ）の廃品を利用した消火器が開示されている（特許文献２）。
【先行技術文献】
【特許文献】
【０００４】
【特許文献１】実開昭５６−１６０５６０号公報
【特許文献２】特開平９−３１３６３４号公報
【発明の概要】
【発明が解決しようとする課題】
【０００５】
しかし、上述のような樹脂製の消火剤貯蔵容器が採用されることによって新たに引き起こされる特有の問題も存在する。例えば、樹脂製の消火剤貯蔵容器は金属製の消火剤貯蔵容器と比較して、十分な耐圧性を得ることが困難であるため、内部の圧力の著しい偏りによって破損する虞がある。より具体的には、既存の金属性消火剤貯蔵容器が採用している平面状の底部を、樹脂製の消火剤貯蔵容器の底部に適用すると、その容器の内圧が著しく集中する箇所ができることによってその容器が破損する虞がある。
【課題を解決するための手段】
【０００６】
本発明は、上述の課題を解消することにより、耐圧性を考慮した樹脂製の消火剤貯蔵容器の傾倒を防止し得る消火器の実現に大きく貢献するものである。
【０００７】
発明者は、まず、圧力が著しく偏り易い平面上の底部の代わりに、圧力を分散し易い略半球状の底部を採用することが、消火剤貯蔵容器の弱点ともなり得る耐圧性の低さを解消すると考えた。その上で、発明者は、そのような消火剤貯蔵容器の設置の安定性について鋭意研究を重ねた。その結果、発明者は、消火器全体としての美観を保ちつつ、設置の安定性に優れた樹脂製の消火剤貯蔵容器を有する消火器の構成を見出すことに成功した。本発明は、そのような観点で創出された。
【０００８】
本発明の１つの消火器用消火剤貯蔵容器の支持台は、樹脂製の消火剤貯蔵容器の略半球状の底部の外形に沿う曲面を有する受部と、前述の受部の下方に位置するとともに、前述の受部を支持する平面部とを備える。
【０００９】
この支持台によれば、消火剤貯蔵容器の底部の外形に沿う曲面を有する受部を備えることから、消火剤貯蔵容器を安定して保持することができる。また、この支持台によれば、受部を支持する平面部を備えることから、消火剤貯蔵容器を安定した状態で立設させることができる。
【００１０】
また、本発明の１つの消火器は、樹脂製であって略半球状の底部を有する消火剤貯蔵容器と、前述の底部の外形に沿う曲面を有する受部と、前述の受部の下方に位置するとともに、前述の受部を支持する平面部とを有する消火剤貯蔵容器の支持台とを備える。
【００１１】
この消火器によれば、その支持台が消火剤貯蔵容器の底部の外形に沿う曲面を有する受部を備えることから、消火剤貯蔵容器を安定して保持することができる。また、この消火器によれば、その支持台が受部を支持する平面部を備えることから、消火剤貯蔵容器を安定した状態で立設させることができる。
【００１２】
なお、本出願において、「略半球状」とは、厳密な半球状に限らず、全体として球体を半分にした状態に類する形状のものを言い、例えば、お椀型や釣り鐘型も含むものである。
【発明の効果】
【００１３】
本発明によれば、樹脂製であって略半球状の底部を有する消火剤貯蔵容器の傾倒を防止し得る消火器用消火剤貯蔵容器の支持台及び消火器が実現される。
【図面の簡単な説明】
【００１４】
【図１】本発明の１つの実施形態の消火器を示す全体外観図である。
【図２】本発明の１つの実施形態の消火剤貯蔵容器を示す正面図である。
【図３】本発明の１つの実施形態の支持台を示す斜視図である。
【図４】本発明の１つの実施形態の支持台を示す正面図である。
【図５】図４のＡ−Ａ線に沿う断面図である。
【図６】本発明の他の実施形態の支持台を示す正面図である。
【図７】図６のＢ−Ｂ線に沿う断面図である。
【図８】本発明の他の実施形態の支持台を示す正面図である。
【図９】図８のＣ−Ｃ線に沿う断面図である。
【図１０】本発明の他の実施形態の支持台を示す正面図である。
【図１１】図１０のＤ−Ｄ線に沿う断面図である。
【図１２】図５に相当する本発明の他の実施形態の消火設備を示す断面図である。
【発明を実施するための形態】
【００１５】
本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号が省略されうる。
【００１６】
＜第１の実施形態＞
図１は本実施形態の消火器１００を示す全体外観図であり、図２は消火剤貯蔵容器１０を示す正面図である。なお、図２において、便宜上、消火剤貯蔵容器１０の部位を説明するための破線と実線とが設けられている。
【００１７】
図１に示されるように、本実施形態の消火器１００は、消火剤６０（例えば、粉末消火薬剤）が充填された消火剤貯蔵容器１０と、消火剤貯蔵容器１０の底部を支持する支持台５０と、消火剤貯蔵容器１０の上方に配設される消火器用操作レバー３０と、消火剤貯蔵容器１０内に貯蔵される消火剤６０を消火器用操作レバー３０に導くためのサイホン管７０と、消火器用操作レバー３０を操作することによりサイホン管７０と流通可能に接続される消火器用ホース４０とを備える。なお、図２で示されるように、本実施形態の消火剤貯蔵容器１０は、開口部となる口部９１、略球面状の肩部９２、円筒形状の胴部９３、及び略球面状の底部９４とを有している。
【００１８】
また、消火器用操作レバー３０は、蓋体３１、固定レバー３２、起動レバー３３、起倒杆３４、及び安全栓３５を備えている。本実施形態では、安全栓３５が起倒杆３４と係合することにより、起動レバー３３が固定レバー３２に対して回動可能な状態になる。
【００１９】
加えて、本実施形態における消火剤貯蔵容器１０は、口部９１の外周部に雄ネジ部１２を有している。この雄ネジ部１２と消火器用操作レバー３０とが螺合することにより、消火剤貯蔵容器１０と消火器用操作レバー３０とが固定される。尚、消火剤貯蔵容器１０と消火器用操作レバー３０との固定手段は、螺合に限られず、公知の接合手段が適用され得る。
【００２０】
ここで、本実施形態の消火剤貯蔵容器１０は、ポリエチレンナフタレート（ＰＥＮ）によって形成されている。なお、製造過程の不純物を除けば、本実施形態の消火剤貯蔵容器１０は、ポリエチレンナフタレート（ＰＥＮ）のみで形成されている。また、本実施形態の消火剤貯蔵容器１０は、図１及び図２に示されるように、金属性の消火剤貯蔵容器のような継ぎ目が形成されていない。
【００２１】
また、本実施形態の消火剤貯蔵容器１０は、消火剤貯蔵部１１の胴部９３の厚み（Ｔ）が１．８ｍｍ±０．４ｍｍとなるように成形したものである。この厚みにより、消火剤貯蔵容器として求められる耐圧性（例えば、２．０ＭＰａ）、経済的効率、及び内容物たる消火剤６０の適度な視認性が実現され得る。加えて、底部９４が略球面状に形成されることにより、底部９４のいずれの箇所に対しても消火剤貯蔵容器１０の内圧の偏りを防止できる。従って、その内圧の偏りよる消火剤貯蔵容器１０の破損が確度高く防止され得る。
【００２２】
次に、消火剤貯蔵容器１０の製造方法について説明する。ポリエチレンナフタレート（ＰＥＮ）製の消火剤貯蔵容器１０は、延伸ブロー成形方法により製造される。このため、継ぎ目がなく、成形状態が良好で、かつ適度な肉厚の容器を得ることができる。加えて、底部９４が略一定の厚みに形成されるため、底部９４に対する内部の圧力の偏りをさらに防止できる。また、延伸ブロー成形方法であれば、延伸行程を含むため、樹脂の高分子鎖が略一方向に配向する。このため、樹脂の透明性や強度及び剛性が増大する。
【００２３】
本実施形態では、まず、消火剤貯蔵容器１０の材料となるポリエチレンナフタレート（ＰＥＮ）を溶融し、射出金型内に樹脂を射出又は押出することによって肉厚が１２ｍｍ以上１８ｍｍ以下の予備成形品を形成する。次に、胴部９３の円周方向の延伸倍率がその円周方向に垂直な方向の延伸倍率１．０５倍以上１．４倍以下であり、かつ、その円周方向の延伸倍率とその円周方向に垂直な方向の延伸倍率との積が１２以上１３以下となるように、最終成形品を形成する。このような延伸倍率にすることにより、消火剤貯蔵容器１０として求められる耐圧性を確保できる。なお、消火剤貯蔵容器１０の胴部９３の円周方向の延伸倍率を、その円周方向に垂直な方向の延伸倍率の１．０５倍以上１．４倍以下であり、かつ、その円周方向の延伸倍率のスカラー量とその円周方向に垂直な方向の延伸倍率のスカラー量との積が１２以上１３以下として形成することにより耐圧性が向上する点については、本出願人による特願２００８−２６８０２３号により示されている。
【００２４】
次に、本実施形態の支持台５０について説明する。図３は本実施形態の支持台５０を示す斜視図、図４はその正面図、図５は図４のＡ−Ａ線に沿う断面図である。なお、図４において、便宜上、各部の大きさ及び配置を比較するための破線が設けられている。
【００２５】
本実施形態の支持台５０は、受部５１と、受部５１を支持する平面部５２と、受部５１と平面部５２との間に位置するくびれ部５３とを備える。また、支持台５０は、高い耐衝撃性及び強度を得るため、ポリエチレンナフタレート、ポリエチレンテレフタレート、アクリロニトリル・ブタジエン・スチレン共重合合成樹脂、ポリオレフィン、及びポリフェニレンスルファイド、ポリスチレン、及びポリカーボネートの群から選ばれる少なくとも１種類の樹脂により形成されている。
【００２６】
受部５１は、消火剤貯蔵容器１０の略半球状の底部９４の外形に沿う曲面５１ａを有する。また、平面部５２は、受部５１の下方に位置する。なお、本実施形態の平面部５２は、受部５１から下方に突設される複数のリブ５２ａの同一平面上に形成される端部の集合により形成されている。このような受部５１を備えることから、消火剤貯蔵容器１０を安定して保持することができる。また、このような平面部５２を備えることから、消火剤貯蔵容器１０を安定した状態で立設させることができる。また、平面部５２が、複数のリブ５２ａの同一平面上に形成される端部の集合により形成されるため、平板を利用して形成する場合と比較して、軽量化及び高強度化が実現できる。さらに、くびれ部５３の形成により、従来にない消火器全体としての美観が得られる。
【００２７】
また、本実施形態では、平面部５２の外周が、受部５１の平面部５２と同一平面視における正射影の外周と略一致する位置に位置している。また、安定した状態で立設させるためには、受部５１の重心と平面部５２の重心とを同一鉛直線上に配置させることが好ましい。なお、前述の「略一致する位置」とは、平面部５２の外周が、受部５１の平面部５２と同一平面視における正射影の外周と一致する位置から５ｍｍ以内の範囲をいう。
【００２８】
＜第２の実施形態＞
図６は本実施形態の支持台２５０を示す正面図であり、図７は図６のＢ−Ｂ線に沿う断面図である。
【００２９】
本実施形態の支持台２５０は、第１の実施形態の支持台５０の平面部５２の代わりに平面部２５２を備える点以外は、第１の実施形態と同じ構成を備える。従って、第１の実施形態と重複する説明は省略される。
【００３０】
本実施形態の平面部２５２は、第１の実施形態と同様に、複数のリブ２５２ａの同一平面上に形成される端部の集合により形成されている。また、平面部２５２の外周が、受部５１の平面部２５２と同一平面視における正射影の外周と一致する位置又はその外周より外側に位置しない点で、第１の実施形態の平面部５２と異なる。このような支持台２５０も、第１の実施形態の支持台５０の少なくとも一部の効果が奏される。但し、消火剤貯蔵容器１０の安定した立設の観点からは、第１の実施形態の支持台５０が採用される方が好ましい。
【００３１】
＜第３の実施形態＞
図８は本実施形態の支持台３５０を示す正面図であり、図９は図８のＣ−Ｃ線に沿う断面図である。
【００３２】
本実施形態の支持台３５０は、第１の実施形態の支持台５０のくびれ部５３を備えない点以外は、第１の実施形態と同じ構成を備える。
【００３３】
本実施形態の支持台３５０は、外形が円柱状となるように形成されている。このため、支持台３５０は、第１の実施形態の支持台５０と比較して、体積が大きく、重量も大きい。従って、第１の実施形態の支持台５０と比較して、消火剤貯蔵容器１０をさらに安定した状態で立設させることができる。このような支持台３５０も、第１の実施形態の支持台５０の少なくとも一部の効果が奏される。但し、材料費や軽量化の観点からは、第１の実施形態の支持台５０が採用される方が好ましい。
【００３４】
＜第４の実施形態＞
図１０は本実施形態の支持台４５０を示す正面図であり、図１１は図１０のＤ−Ｄ線に沿う断面図である。
【００３５】
本実施形態の支持台４５０は、第１の実施形態の支持台５０の平面部５２の代わりに平面部４５２を備える点以外は、第１の実施形態と同じ構成を備える。従って、第１の実施形態と重複する説明は省略される。
【００３６】
本実施形態の平面部４５２は、第１の実施形態と同様に、複数のリブ４５２ａの同一平面上に形成される端部の集合により形成されている。また、平面部４５２の外周が、受部５１の平面部４５２の同一平面視における正射影の外周と一致する位置又はその外周より外側に位置しない点で、第１の実施形態の平面部５２と異なる。より具体的には、平面部４５２の外周が、受部５１の平面部４５２の同一平面視における正射影の外周よりも内側に位置している。このような支持台４５０も、第１の実施形態の支持台５０の少なくとも一部の効果が奏される。但し、消火剤貯蔵容器１０の安定した立設の観点からは、第１の実施形態の支持台５０が採用される方が好ましい。
【００３７】
＜第５の実施形態＞
図１２は本実施形態の支持台５５０を示す断面図である。
【００３８】
本実施形態の支持台５５０は、第１の実施形態の支持台５０の平面部５２の代わりに平面部５５２を備える点以外は、第１の実施形態と同じ構成を備える。従って、第１の実施形態と重複する説明は省略される。
【００３９】
本実施形態の平面部５５２は、第１の実施形態の平面部５２のように複数のリブ５２ａの同一平面上に形成される端部の集合により形成されておらず、密な平面となっている点で、平面部５２とは異なる。このため、支持台５５０は、第１の実施形態の支持台５０と比較して、体積が大きく、重量も大きい。従って、第１の実施形態の支持台５０と比較して、消火剤貯蔵容器１０をさらに安定した状態で立設させることができる。このような支持台５５０も、第１の実施形態の支持台５０の少なくとも一部の効果が奏される。但し、材料費や軽量化の観点からは、第１の実施形態の支持台５０が採用される方が好ましい。
【００４０】
＜その他の実施形態＞
ところで、上述した各実施形態において、消火剤貯蔵容器１０を構成する材料としてポリエチレンナフタレート（ＰＥＮ）が採用されていたが、これに限定されない。例えば、ポリエチレンテレフタレート（ＰＥＴ）であっても、略同様の効果が奏される。また、例えば、ジカルボン酸成分として主にナフタレンジカルボン酸又はテレフタル酸、ジオール成分として主にエチレングリコール又はブタンジオールを用いて重縮合させて得られたポリエステル樹脂又はこれらのポリエステル樹脂を主とする材料が消火剤貯蔵容器１０の材料として採用されても、本発明の少なくとも一部の効果が奏されると考えられる。換言すれば、共重合ポリエステル樹脂であれば、本発明の少なくとも一部の効果が奏されると考えられる。
【００４１】
また、他の採用し得る材料の一例として、ポリエチレンやポリプロピレンなどのポリオレフィン、ポリフェニレンスルファイド、ポリスチレン、又はポリカーボネートが挙げられる。但し、上述の全ての材料の中でも、ポリエチレンテレフタレート（ＰＥＴ）やポリエチレンナフタレート（ＰＥＮ）を採用することが、強度の観点から好ましい。また、透明性を高めるためには、ポリエチレンナフタレート（ＰＥＮ）を単独で、又はポリエチレンナフタレート（ＰＥＮ）を主とし、ポリエチレンテレフタレート（ＰＥＴ）を従とするブレンド材料が採用されることが好ましい。さらに、透明性、強度、及びガスバリア性の観点から、ポリエチレンナフタレート（ＰＥＮ）が単独で採用されることが最も好ましい。すなわち、ポリエチレンナフタレート（ＰＥＮ）を採用することにより、適度な透明性を維持しつつ高強度の消火剤貯蔵容器１０がより確度高く得られる。
【００４２】
また、上述した各実施形態において、消火剤貯蔵容器１０が延伸ブロー成形方法により製造されているが、これに限定されない。消火剤貯蔵容器１０は、射出成形された部品を接合することにより製造されても良く、切削により成形された部品を接合することにより製造されても良い。但し、透明性及び強度の観点からは、延伸ブロー成形方法により製造されることが好ましい。
【００４３】
また、上述した各実施形態において、予備成形品の肉厚を１２ｍｍ以上１８ｍｍ以下としているが、これに限定されない。また、胴部９３の円周方向の延伸倍率がその円周方向に垂直な方向の延伸倍率１．０５倍以上１．４倍以下であり、かつ、その円周方向の延伸倍率とその円周方向に垂直な方向の延伸倍率との積が１２以上１３以下となるように、最終成形品を形成しているが、これに限定されない。但し、透明性及び強度の観点からは、予備成形品の肉厚を１２ｍｍ以上１８ｍｍ以下とし、胴部９３の円周方向の延伸倍率がその円周方向に垂直な方向の延伸倍率１．０５倍以上１．４倍以下であり、かつ、その円周方向の延伸倍率とその円周方向に垂直な方向の延伸倍率との積が１２以上１３以下となるように、最終成形品を形成することが好ましい。
【００４４】
また、上述した第２乃至第４の実施形態において、支持台２５０、３５０、４５０の平面部が、リブの端部の集合により形成されているが、これに限定されない。第５の実施形態と同様に、リブの端部の集合により形成されておらず、密な平面となっていても良い。この構成を採用する場合は、支持台の体積が大きく、重量も大きくなる。従って、消火剤貯蔵容器１０をさらに安定した状態で立設させることができる。このような支持台も、第１の実施形態の支持台５０の少なくとも一部の効果が奏される。但し、材料費や軽量化の観点からは、平面部が、リブの端部の集合により形成された構成が採用される方が好ましい。
【００４５】
また、上述した第３の実施形態において、支持台３５０は、外形が円柱状となるように形成されているが、これに限定されない。支持台３５０の外形が、角柱状や楕円柱状など各種の柱状であっても、本発明の少なくとも一部の効果が奏される。但し、デザイン的な観点及び使用者の安全性の観点からは、外形が円柱状となるように形成されている方が好ましい。加えて、第３の実施形態を除く上述の実施形態のように、くびれ部５３が形成されることにより、従来にない消火器全体としての美観も得られる。
【００４６】
また、上述した第３の実施形態において、支持台３５０は、第１の実施形態と同様に、平面部５２の外周が、受部５１の平面部５２と同一平面視における正射影の外周と一致する位置に位置しているが、これに限定されない。第２の実施形態や第４の実施形態のように、平面部５２の外周が、受部５１の平面部５２と同一平面視における正射影の外周と一致する位置に位置しない構成が採用されても良い。但し、消火剤貯蔵容器１０の安定性の観点からは、支持台３５０は、第１の実施形態と同様に、平面部５２の外周が、受部５１の平面部５２と同一平面視における正射影の外周と一致する位置又は外に位置する方が好ましい。
【００４７】
また、上述した各実施形態の消火剤貯蔵容器１０に充填される消火剤６０の種類は特に限定されない。消火剤貯蔵容器１０を構成する樹脂への影響がない限り、公知のいかなる消火剤も採用することができる。例えば、粉末消火剤を充填しても液体消火剤を充填しても使用することができる。また、消火剤の充填方法、及び消火器用ホースやノズルなどの構成部品の材質と形状等については、従来から提案されているものを適宜採用することができる。
【００４８】
また、消火剤の放射方式として、加圧式又は蓄圧式のどちらも採用され得る。但し、上述の各実施形態は蓄圧式の消火器であり、従来の消火器と同等以上の高圧の消火剤にも対応し得る点は特筆に値する。さらに、消火剤貯蔵容器１０を構成する樹脂は、変色の防止や耐候性の向上のために、光安定剤、紫外線吸収剤、老化防止剤などの公知の添加剤を適宜配合することができる。以上、述べたとおり、各実施形態の他の組合せを含む本発明の範囲内に存在する変形例もまた、特許請求の範囲に含まれるものとする。
【産業上の利用可能性】
【００４９】
本発明は、消火剤貯蔵容器の支持台及びその支持台を備える消火器として広く利用され得る。
【符号の説明】
【００５０】
１０      消火剤貯蔵容器
１１      消火剤貯蔵部
１２      雄ネジ部
３０      消火器用操作レバー
３１      蓋体
３２      固定レバー
３３      起動レバー
３４      起倒杆
３５      安全栓
４０      消火器用ホース
５０，２５０，３５０，４５０，５５０  支持台
５１      受部
５１ａ    曲面
５２，２５２，４５２，５５２  平面部
５２ａ，２５２ａ，４５２ａ  リブ
５３      くびれ部
６０      消火剤
７０      サイホン管
９１      口部
９２      肩部
９３      胴部
９４      底部
１００    消火器
【図１】
2010200815.tif 000003
【図２】
2010200815.tif 000004
【図３】
2010200815.tif 000005
【図４】
2010200815.tif 000006
【図５】
2010200815.tif 000007
【図６】
2010200815.tif 000008
【図７】
2010200815.tif 000009
【図８】
2010200815.tif 000010
【図９】
2010200815.tif 000011
【図１０】
2010200815.tif 000012
【図１１】
2010200815.tif 000013
【図１２】
2010200815.tif 000014